(57)【要約】【課題】遊技店に対して会員登録を行った遊技者である会員の管理を行い易くする。【解決手段】管理装置６は、従業員が商圏を選択するために操作すると、自店の商圏（Ｃ１、Ｃ２）及び他店の商圏（Ｄ１、Ｄ２）の両方に含まれる会員の一覧を表示するようにしたので、自店の商圏及び他店の商圏の両方に含まれる会員を特定することができ、何れの会員にＤＭを発送するか等の判断を行い易くすることができる。【選択図】図２９
2018060270.tif 000002
【特許請求の範囲】
【請求項１】
商品又はサービスの提供を行う店舗で登録を行った顧客である会員の住所の情報を含む会員情報を記憶する会員情報記憶手段と、
地図の情報である地図情報を記憶する地図情報記憶手段と、
自店の商圏及び他店の商圏の情報である商圏情報を記憶する商圏情報記憶手段と、
前記地図情報及び前記商圏情報に基づいて、自店及び他店の少なくとも一方の商圏を複数に区分した状態で自店の商圏及び他店の商圏を地図上に表示する特別表示手段と、
従業員が商圏を選択するために操作する操作手段と、
前記操作手段の操作により選択された自店の商圏及び他店の商圏の両方に含まれる前記会員の一覧を表示する会員情報表示手段と、を備えたことを特徴とする会員管理システム。
【請求項２】
前記特別表示手段は、自店の商圏及び他店の商圏のそれぞれを複数に区分した状態で地図上に表示するものであり、
前記会員情報表示手段は、前記操作手段の操作により選択された自店の商圏及び他店の商圏の両方に含まれる前記会員の一覧を表示することを特徴とする請求項１に記載した会員管理システム。
【請求項３】
前記操作手段の操作により自店の商圏又は他店の商圏が複数選択されることを抑制する選択抑制手段を備えたことを特徴とする請求項１又は２に記載した会員管理システム。
【請求項４】
前記特別表示手段が表示している地図と同一画面上に、前記操作手段の操作により選択可能に自店の商圏及び他店の商圏の一覧を表示する商圏表示手段を備えたことを特徴とする請求項１から３の何れか一項に記載した会員管理システム。
【請求項５】
前記商圏表示手段は、複数の商圏のそれぞれに含まれる会員数を特定可能に自店の商圏及び他店の商圏の一覧を表示することを特数とする請求項４に記載した会員管理システム。
【発明の詳細な説明】
【技術分野】
【０００１】
本発明は会員管理システムに関する。
【背景技術】
【０００２】
遊技店では、会員登録を行った遊技者である会員の情報を管理装置に記憶して会員管理を行っており、会員管理を効率良く行うことを目的とした技術が提案されている。例えば特許文献１には、地図上に商圏を表示し、会員の管理を行うことが記載されている。
【先行技術文献】
【特許文献】
【０００３】
【特許文献１】特開２００８−９０４４０号公報
【発明の概要】
【発明が解決しようとする課題】
【０００４】
ここで、会員管理として会員に関する分析を行い、その分析結果に応じてＤＭ（ダイレクトメール）を発送する地域を決定したいという要望がある。例えば競合店ではなく自店への来店頻度を高くしたいと考え、自店及び競合店の両方に近い住所の会員に対してＤＭを発送したいと考えることがある。しかしながら、特許文献１に記載された技術では、競合店との位置関係に基づいて会員を特定することができず、何れの会員にＤＭを発送するかを決定し難いという問題がある。
【０００５】
本発明は、上記した事情に鑑みてなされたものであり、その目的は、会員管理を行い易くすることができる会員管理システムを提供することにある。
【課題を解決するための手段】
【０００６】
請求項１に記載した発明によれば、従業員が商圏を選択するために操作すると、自店の商圏及び他店の商圏の両方に含まれる会員の一覧を表示するので、自店の商圏及び他店の商圏の両方に含まれる会員を特定することができ、何れの会員にＤＭを発送するか等の判断を行い易くすることができる。又、自店及び他店の少なくとも一方の商圏を複数に区分した状態で自店の商圏及び他店の商圏を地図上に表示するので、例えば自店から遠過ぎる会員を除外した上で一覧を表示する等、ＤＭを発送しても効果が少ないと思われる会員を除外して一覧を表示することができる。即ち、一覧表示の対象とする会員の選択を行い易くすることで結果的に会員管理を行い易くすることができる。
【図面の簡単な説明】
【０００７】
【図１】本発明の一実施形態を示す全体構成図
【図２】遊技機の正面図
【図３】管理装置の構成を示す機能ブロック図
【図４】効果測定色分け設定画面を示す図
【図５】効果測定色分け設定画面の一部を示す図
【図６】効果測定色分け設定画面の一部を示す図
【図７】効果測定色分け設定画面を示す図
【図８】地図分析画面を示す図
【図９】効果測定色分け設定画面を示す図
【図１０】効果測定一覧画面を示す図
【図１１】効果測定一覧画面を示す図
【図１２】効果測定一覧画面の一部を示す図
【図１３】効果測定一覧画面の一部を示す図
【図１４】地域別人口・会員数一覧画面を示す図
【図１５】強調表示の態様を示す図
【図１６】強調表示の態様を示す図
【図１７】商圏プランの選択又は解除の態様を示す図
【図１８】地図分析画面を示す図
【図１９】円商圏表示設定画面を示す図
【図２０】地図分析画面を示す図
【図２１】円商圏−会員数一覧画面を示す図
【図２２】円商圏−会員数一覧画面を示す図
【図２３】地図分析画面の一部を示す図
【図２４】地図分析画面を示す図
【図２５】地図分析画面を示す図
【図２６】地図分析画面を示す図
【図２７】円商圏−会員数一覧画面を示す図
【図２８】円商圏−会員数一覧画面を示す図
【図２９】地図分析画面の一部を示す図
【図３０】地図分析画面を示す図
【発明を実施するための形態】
【０００８】
以下、本発明を、遊技店に対して会員登録を行った遊技者である会員の管理を行う会員管理システムに適用した一実施形態について図面を参照して説明する。図１は、会員管理システムの全体構成を概略的に示している。遊技店（遊技場）には、遊技機（スロットマシン）１に対応して貸出装置２及びデータ表示機３が設置されている。これら遊技機１、貸出装置２及びデータ表示機３は中継装置４と接続されている。中継装置４はＬＡＮ５を介して管理装置６と接続されている。管理装置６は、遊技店内の例えば管理室に設置されており、キーボード７ａやマウス７ｂ（何れも操作手段に相当する）、モニタ８（特別表示手段、会員情報表示手段、商圏表示手段に相当する）及びプリンタ（図示せず）等が組み合わされて構成されている。キーボード７ａやマウス７ｂは、遊技店の従業員（以下、単に従業員と称する）が後述する区分する地域を設定するため及び区分した地域を地図上で選択するために操作される。モニタ８は、後述するように、地図情報に基づく地図、遊技店で会員登録を行った遊技者である会員の遊技履歴の情報又は人口の情報、従業員により選択された地域に含まれる住所における会員の情報の一覧を表示する。又、遊技店には、景品交換を行うためのＰＯＳ（景品交換装置、図示せず）やＩＣカード（記録媒体）の残高を精算するための精算装置（図示せず）等も設置されており、ＰＯＳや精算装置もＬＡＮ５を介して管理装置６と接続されている。尚、図１では省略しているが、数百台の遊技機１が管理装置６の管理対象となる。本実施形態では遊技機１がスロットマシンであることから、遊技価値（遊技媒体）はメダルである。遊技機１がパチンコ機であれば、遊技価値はパチンコ玉である。
【０００９】
図２は、遊技機１の正面図を示している。遊技機１は、表示窓９を介して視認可能なリール１０、有効化された入賞ラインを示す有効ライン表示部１１、表示パネル１２、クレジットメダルの投入を行うクレジットボタン１３、クレジットメダルの精算を行う精算ボタン１４、メダルを投入するメダル投入口１５、スタートレバー１６、左ストップボタン１７、中ストップボタン１８、右ストップボタン１９、払出数表示部２０、クレジット数表示部２１、受皿２２等を有する。
【００１０】
遊技機１は、メダルが投入された状態でスタートレバー１６が操作されると（ゲーム開始操作が行われると）、発生する乱数の中から１つの乱数を抽出して内部抽選を実行し、内部当選役がある場合には当該内部当選役に対応するフラグを成立させると共に、各リール１０を始動（回転）させ、この状態で各ストップボタン１７〜１９が操作されると、対応するリール１０の回転を停止させる。続いて、内部当選役のフラグに応じて各リール１０の停止位置を決定するための停止テーブル（図示せず）に基づいて、所謂引込制御（すべり制御）を含む停止制御（各リール１０を内部当選役フラグの種類に応じた入賞図柄又はハズレ図柄で停止表示させる制御）を実行する。引込制御は、各ストップボタン１７〜１９の操作を検出した時点から予め規定された引込範囲（最大で４図柄まで）にある図柄を入賞ライン上に引き込んで停止させることが可能な制御である。尚、内部当選役フラグに対応する図柄が引込範囲内に存在しないときは、その図柄を入賞ライン上に引き込んで停止させることができないので、入賞が発生せずに所謂取りこぼしとなる。
【００１１】
遊技機１は、以下の遊技信号を送信する。
アウト信号＝ゲームの開始操作に応じてベット状態のメダルを消費したとしてベット状態のメダル数（３枚）分をパルス送信する。管理装置６は、アウト信号数×１をアウト（消費価値、使用媒体数）として特定する。尚、リプレイ時にも、対応分をパルス送信する。
セーフ信号＝メダルを１枚付与（払出）する毎にパルス送信する。管理装置６は、セーフ信号数×１をセーフ（入賞付与価値、払出媒体数）として特定する。尚、リプレイ役入賞時にも、そのゲームに使用されたメダル分をパルス送信する。
ＢＢ（ビッグボーナス）信号＝ＢＢ状態のときにレベル送信する。管理装置６は、ＢＢ信号の受信期間中をＢＢ状態として特定する。
ＲＢ（レギュラーボーナス）信号＝ＲＢ状態のときにレベル送信する。管理装置６は、ＲＢ信号の受信期間中をＲＢ状態として特定する。
【００１２】
遊技機１には、ボーナス役としてのＢＢ役及びＲＢ役、小役、リプレイ役が設けられている。遊技機１には、合計５本（表示窓９の上段、中段、下段に対応した横方向に１本ずつの３本、斜め方向の２本）の有効ラインが設けられており、遊技者によるストップボタン１７〜１９の操作により、これらの有効ラインのうち何れかの有効ライン上に内部当選役に対応する図柄が揃ったとき、即ち、有効ライン上に停止表示された図柄の組み合わせが内部当選役に対応する図柄の組み合わせと一致したときに入賞となる。入賞となった場合には、ＢＢ状態やＲＢ状態の発生、又は対応する枚数のコインの払い出し（遊技価値の付与）を行う。ＢＢ状態は例えば３００枚を越えるコインの払い出しにより終了し、ＲＢ状態は８回の入賞の発生により終了する。又、ＢＢ状態及びＲＢ状態における１ゲーム当たりのコインの投入枚数は２枚となっている。
【００１３】
遊技機１は、ＢＢ役及びＲＢ役の内部当選確率を設定値の変更により変更可能となっている。設定値は、遊技機１の遊技性能を調整するための調整情報であり、例えば１〜６の６段階に区分されており、従業員により何れか１つが選択されて使用される。遊技機１は、設定値が大きいほどボーナス役の当選確率が高くなり、それに伴って理論上の出率が大きくなり、反対に、設定値が小さいほどボーナス役の当選確率が低くなり、それに伴って理論上の出率が小さくなる。即ち、設定値が大きいほど遊技者にとって有利であり、設定値が小さいほど遊技者にとって不利である。尚、小役確率については全設定共通であるが、異なっていても良く、小役確率や他の条件等により出率を調整しても良い。
【００１４】
貸出装置２は、図１に示すように、遊技者が紙幣を投入するための紙幣投入口２２、遊技者がＩＣカードを挿入するためのカード挿入口２３、挿入されたＩＣカードを発券するための発券ボタン２４、メダルを１枚ずつメダル排出路に排出するホッパー（図示せず）の状態を示すホッパーＬＥＤ２５、メダルを遊技機１の受皿２１に払い出す払出ノズル２６等を有する。
【００１５】
貸出装置２は、以下の遊技信号を送信する。
売上信号＝貸出メダル５枚（１００円相当する）毎に１パルスを送信する。管理装置６は、売上信号数×１００を売上金額とし、売上信号数×５を売上メダルとする等して売上情報を特定する。
カード受付信号＝ＩＣカードがカード挿入口２３に挿入されたことでＩＣカードを受け付けたときに、その受け付けたＩＣカードを特定可能に送信する。管理装置６は、カード受付信号の受信により、遊技者がＩＣカードをカード挿入口２３に挿入したことを特定する。
カード受付解除信号＝ＩＣカードがカード挿入口２３から排出されたことでＩＣカードの受付を解除したときに送信する。管理装置６は、カード受付解除信号の受信により、遊技者がＩＣカードをカード挿入口２３から排出したことを特定する。
【００１６】
データ表示機３は、図１に示すように、各種の遊技データ（ＢＢ状態やＲＢ状態の発生回数、スタート回数、ＡＲＴの発生回数、平均獲得枚数等）を表示する情報表示部２７、遊技店の従業員を呼び出すときに遊技者が押下する呼出ボタン、情報表示部２７が表示する遊技データを切り替えるときに遊技者が押下する切替ボタン等を含む操作部２８、従業員が所持する従業員リモコン３０からリモコン信号を受信する受光部２９等を有する。
【００１７】
図３は、管理装置６の構成を示す機能ブロック図である。管理装置６は、ＣＰＵ、ＲＯＭ、ＲＡＭ、Ｉ／Ｏを有するマイクロコンピュータにより構成される制御部、遊技機１、貸出装置２及びデータ表示機３との間で各種信号や各種情報を送受信する送受信部等を有する。制御部は、本発明に関連し、会員情報記憶部６ａ（会員情報記憶手段に相当する）、地図情報記憶部６ｂ（地図情報記憶手段に相当する）、商圏情報記憶部６ｃ（商圏情報記憶手段に相当する）、区分部６ｄ（区分手段に相当する）、選択抑制部６ｅ（選択抑制手段に相当する）、特別表示部６ｆ（特別表示手段に相当する）、会員情報表示部６ｇ（会員情報表示手段に相当する）、商圏表示部６ｈ（商圏表示手段に相当する）を有する。
【００１８】
会員情報記憶部６ａは、遊技機１が設置された遊技店で会員登録を行った遊技者である会員の住所に対応した情報（遊技店側がＤＭを発送可能な住所）を含む会員情報を記憶する。地図情報記憶部６ｂは、地図の情報である地図情報を記憶する。商圏情報記憶部６ｃは、自店の商圏及び他店の商圏の情報である商圏情報を記憶する。区分部６ｄは、従業員の操作により地図を予め定められた地域（後述する従業員が選択する行政界又は１ｋｍメッシュで特定される地域）で区分する。選択抑制部６ｅは、キーボード７ａやマウス７ｂの操作により自店の商圏又は他店の商圏が複数選択されることを抑制する。特別表示部６ｆは、地図情報及び商圏情報に基づいて、自店及び他店の少なくとも一方の商圏を複数に区分した状態で自店の商圏及び他店の商圏を地図上に表示する。会員情報表示部６ｇは、キーボード７ａやマウス７ｂの操作により選択された自店の商圏及び他店の商圏の両方に含まれる会員の一覧を表示する。商圏表示部６ｈは、特別表示部６ｆが表示している地図と同一画面上に、キーボード７ａやマウス７ｂの操作により選択可能に自店の商圏及び他店の商圏の一覧を表示する。
【００１９】
管理装置６は、遊技機１から遊技信号（アウト信号、セーフ信号、ＢＢ信号、ＲＢ信号）を受信すると共に、貸出装置２から売上信号やカード受付信号やカード受付解除信号を受信することで、遊技機１毎の遊技データ（アウト、セーフ、差メダル、ＢＢ回数、ＲＢ回数等）や会員毎の個人データ（来店回数、投資金額、遊技時間等）等を管理する機能を有する。又、管理装置６は、会員の情報を従業員が管理を行い易くするように以下に示す機能を有する。以下、従業員が会員管理を行い易くするための機能について説明する。
【００２０】
管理装置６は、従業員が会員管理を行い易くするための機能として、効果測定色分け表示機能、会員リスト表示機能、円商圏表示機能を有する。以下、それぞれの機能について順次説明する。
【００２１】
（１）効果測定色分け表示機能、会員リスト表示機能
効果測定色分け表示機能及び会員リスト表示機能について図４から図１８を参照して説明する。効果測定色分け表示機能とは、図４から図８に示すように、指定した２つの期間（効果測定期間、比較対照期間）における行政界又は１ｋｍメッシュ（１ｋｍ四方）のエリア毎に、来店会員数や会員来店回数（遊技者の来場頻度に対応した情報）及び投資金額（遊技者が遊技店で使用する金額に対応した情報）の増減値又は増減率に応じて地図を色分け表示し、それらの値を地図上に文字表示したり、図１０から図１３に示すように、指定した期間のエリア毎の来店会員数、会員来店回数、投資金額の集計結果を一覧表示したりする機能である。色分け表示と一覧表示とでエリア毎の効果測定結果を視覚的に把握し、成績の良かったエリアや悪かったエリアを把握することが可能となり、商圏分析に役立てることが可能となる。又、図示しないが二画面比較表示することで、地図上で表示中のエリアに対してそれぞれの期間の集計対象の値に応じて色分け表示し、それぞれの期間を重ね合わせ又は左右に並べて比較することが可能となる。会員リスト表示機能とは、図１８に示すように、効果測定色分け表示機能により色分け表示した地図上で選択したエリアの会員リストの一覧を表示する機能である。
【００２２】
上記した行政界のエリアとは、図８に示すように、市区町村、大字、町丁目の３つの区分で特定されるエリアであり、それぞれの面積が異なるので、会員数が多くても会員獲得率が高いとは限らない。統計局が公開する行政界別の人口データは５歳区切りのデータであり、国勢調査は５年に一度実施されるので、行政界のエリアでは１５歳以上の人口（男性、女性、全て）を集計対象とする。
【００２３】
この場合、行政界の総人口は、１５〜１９歳の人口に１８〜１９歳の割合（３９．６５％）を乗じた人口（男性、女性、全て）と２０歳以上の人口（男性、女性、全て）とを用いて算出している。年齢別人口は、以下の内容で算出している。２０代の人口は、１８〜１９歳の人口を含み、１５〜１９歳の人口に１８〜１９歳の割合を乗じた人口と、２０〜２４歳の人口と、２５〜２９歳の人口との合計である。３０代の人口は、３０〜３４歳の人口と、３５〜３９歳の人口との合計である。４０代の人口は、４０〜４４歳の人口と、４５〜４９歳の人口との合計である。５０代の人口は、５０〜５４歳の人口と、５５〜５９歳の人口との合計である。６０代の人口は、６０〜６４歳の人口と、６５〜６９歳の人口との合計である。７０代以上の人口は、７０〜７４歳の人口と、７５歳以上の人口との合計である。
【００２４】
又、国勢調査未調査、調査結果非公開（秘匿地域）のエリアも一部含み（人口を０で表現）、例えば最新の国勢調査データが本システムにダウンロードされていない場合には、実際の国勢調査データの行政界と本システムの行政界とは合致しない場合がある。一方、上記した１ｋｍメッシュのエリアとは、図示しないが、１ｋｍメッシュを単位とするエリアであり、それぞれの面積が全て同じであるので、会員密集度を正確に把握可能である。統計局が公開するメッシュ別の人口データは総人口のみであり、年齢別データではない。１ｋｍメッシュのエリアでは統計局公表の国民全体人口における１８歳以上の割合（約０．８６８）を係数（人口補正係数）とし、総人口に係数を加算した数値を１８歳以上人口として採用している。
【００２５】
図８に示す色分けに利用する統計データ及び境界データ（市区町村等の境界を示すデータ）は統計局が提供しているデータを利用する。統計局が公開する境界データは、地方公共団体が調査を実施する際に設定した調査区の境界に基づいて作成しているので、住所表示等で用いられている実際の行政区域と一致しない場合がある。そのため、複数の町丁目が一つに纏められて提供されている場合もあり、そのような場合、色分けするエリアが広くなり、隣接するエリアとのサイズの違いが発生し、比較が簡単ではなくなる。そのような地域では、地図分析システムで提供されている背景図から作成した字地図が有効となる可能性がある。字地図はオプション設定がなされている場合のみ利用可能となる。
【００２６】
以下、効果測定色分け表示の操作手順、会員リスト表示の操作手順についてそれぞれ説明する。
（ア）効果測定色分け表示の操作手順
管理装置６は、従業員が所定操作を行うことで、図４に示す効果測定色分け設定画面を表示する。この場合、後述する図８に示すように、効果測定色分け設定画面は地図分析画面に重ねられて表示される。効果測定色分け設定画面では比較期間、色分け単位、色分け範囲、集計対象が設定可能である。それぞれの意味を以下に示す。
【００２７】
比較期間＝日単位又は月単位のうち何れかが選択される。従業員が効果測定色分け、一覧表示、二画面比較表示を日単位で実行したいと考えた場合には日単位タブ３１が選択される。一方、従業員が効果測定色分け、一覧表示、二画面比較表示を月単位で実行したいと考えた場合は月単位タブ３２が選択される。図４では月単位タブ３２が選択された場合を例示しているが、日単位タブ３１が選択された場合には図５に例示する表示となる。日単位及び月単位のうち何れが選択された場合でも効果測定期間及び比較対照期間の２つの期間が設定される。効果測定期間は効果測定する期間であり、比較対照期間は比較対照する期間である。
【００２８】
色分け単位＝地域メッシュ（１ｋｍメッシュ）及び行政界のうち何れかが選択される。行政界は市区町村別、大字別、町丁目別の３種類が選択される。字地図オプション設定がオンの場合は行政界の種類に字別が追加される。行政界で字別が選択されている場合は国勢調査データを利用できない。図４では地域メッシュが選択された場合を例示している。
【００２９】
色分け範囲＝都道府県及び商圏のうち何れかが選択される。都道府県データが複数購入されている場合は色分け表示対象の都道府県が選択される。商圏は商圏エリア編集にて作成された商圏が選択される。図４では都道府県が選択された場合を例示しているが、商圏が選択された場合には図６に例示する表示となる。
【００３０】
集計対象＝来店会員数、会員来店回数、投資金額のうち何れかが選択される。来店会員数は期間内に来店した会員数であり、増減値により色分け表示する場合であれば単位は人である。会員来店回数は期間内に来店した会員数の延べ回数であり、増減値により色分け表示する場合であれば単位は回である。投資金額は期間内に会員が投資した金額の総額であり、増減値により色分け表示する場合であれば単位は千円である。図４では会員来店回数が選択された場合を例示している。
【００３１】
効果測定色分け設定画面にて上矢印ボタン３３がクリックされると、図７に示すように、色分け単位、色分け範囲、集計対象の表示を隠し、それらの表示を隠した分だけ画面全体の縦方向のサイズを縮小すると共に、上矢印ボタン３３から下矢印ボタン３４へと表示を変更する。即ち、図８において地図の表示領域が拡大する。又、図７に示す効果測定色分け設定画面にて下矢印ボタン３４がクリックされると、色分け単位、色分け範囲、集計対象の表示を戻し、それらの表示を戻した分だけ画面全体の縦方向のサイズを拡大すると共に、下矢印ボタン３４から上矢印ボタン３３へと表示を変更する。
【００３２】
効果測定色分け設定画面にてオンオフボタン３５ａ〜３５ｅがクリックされてオンに設定されると、色分け表示対象を設定し（色分け表示対象とし）、オンオフボタン３５ａ〜３５ｅがクリックされてオフに設定されると、色分け表示対象の設定を解除する（色分け表示対象外とする）。尚、本実施形態では、最小値及び最大値を取得して自動的に５段階に区分して色分け表示可能となっている。又、本実施形態では、５個のオンオフボタン３５ａ〜３５ｅが用意されていることで、色分けを５区分で行う構成を例示しているが、色分けを４以下の区分や６以上の区分で行っても良い。
【００３３】
効果測定色分け設定画面にてグラデーションボタン３６がクリックされると、グラデーションの色選択画面（図示せず）を表示する。グラデーションの色選択画面でグラデーションの色が選択されることで色分けに使用する色の変更が可能となる。
【００３４】
効果測定色分け設定画面にて効果測定タブ３７が選択されると、効果測定色分け表示を行う際の条件範囲及び注記表示の設定が可能となる。それぞれの意味を以下に示す。
条件範囲＝効果測定色分け表示する条件が指定され、条件毎の色が指定され、条件範囲の単位で人／回／千円及び％のうち何れかが選択される。図４では条件毎の色の指定として赤色、黄色、水色、青色、緑色のパターンが選択された場合を例示している。尚、図４では、「赤」、「黄」等の文字で示しているが、実際にはカラー表示により対応する色がボックスに表示されている。人／回／千円が選択されている場合は増減値の色分け表示を行い、％が選択されている場合は増減率の色分け表示を行う。数値はキーボード７ａによる直接入力又はマウス７ｂによる増減により指定される。数値の増減分はマウス７ｂによる単位ボタン３９の選択（一、十、百、千のうちから何れかを選択）により指定される。
【００３５】
増減値は、効果測定期間の集計値が比較対照期間の集計値に対してどれくらいの増減があったかを効果測定期間の集計値から比較対照期間の集計値を減算して下記の計算式により算出する。
増減値＝効果測定期間の集計値−比較対照期間の集計値
【００３６】
増減率は、効果測定期間の集計値が比較対照期間の集計値に対してどれくらいの割合で変化したかを、増減値を比較対照期間の集計値により除算して下記の計算式により算出する。
増減率＝増減値÷比較対照期間の集計値×１００
【００３７】
注記表示＝効果測定期間の来店会員数、会員来店回数、投資金額、比較対照期間の来店会員数、会員来店回数、投資金額、増減値、増減率、正規会員、行政界名、国勢調査人口、世帯数の中から選択された項目の数値が地図上に表示される。８個までが指定可能であり、色分け表示実施後のチェックオンオフも可能である。
【００３８】
効果測定色分け設定画面にて二画面比較タブ３８が選択されると、二画面比較表示を行う際の条件範囲、注記表示及び凡例の有無の設定が可能となる。又、人口表記についてのボックス４０にマウスカーソルを合わせると、１８歳以上の人口を使用することに対応したメッセージ（具体的には、「人口の表記は国勢調査データ（総務省統計局）の１８歳以上人口を使用しています」というメッセージ）のポップアップ表示を行う。
【００３９】
効果測定タブ３７が選択されている状態で表示ボタン４１がクリックされると、図８に示すように、条件値の凡例表示を行うと共に、設定条件にしたがって効果測定色分けを行った地図分析画面を表示する。図８は、比較期間として日単位が選択され、色分け単位として行政界が選択され、色分け範囲として商圏が選択され、集計対象として会員来店回数が選択され、増減値の色分け表示を行う場合を例示している。図８では、行政界毎に、効果測定期間の会員来店回数、比較対照期間の会員来店回数、増減値が地図上の行政界のエリアに重ねて表示されている（地図上で区分した地域の表示に重ねて、当該地域に対応した特別情報が表示されている）。同様に、来店会員数や投資金額や増減率も、地図に重ねて表示される。図８では、例えば増減値が「−２０未満」の範囲を赤色で示し、増減値が「−２０以上０未満」の範囲を黄色で示し、増減値が「０以上２０未満」の範囲を水色で示し、増減値が「２０以上４０未満」の範囲を青色で示し、増減値が「４０以上」の範囲を緑色で示す。尚、図８では、赤色の範囲を縦横方向のハッチングで示し、黄色の範囲を縦方向のハッチングで示し、水色の範囲を横方向のハッチングで示し、青色の範囲を右下がり方向のハッチングで示し、緑色の範囲を右上がり方向のハッチングで示している。
【００４０】
増減値が負の範囲である赤色と黄色で示す範囲は、効果測定期間の会員来店回数が比較対照期間の会員来店回数に対して減少した範囲であり、一方、増減値が正の範囲である水色と青色と緑色で示す範囲は、効果測定期間の会員来店回数が比較対照期間の会員来店回数に対して増加した範囲である。このように従業員は、効果測定色分け設定画面にて集計対象として会員来店回数を選択することで、会員来店回数が減少又は増加した範囲を容易に把握することができる。同様に、従業員は、効果測定色分け設定画面にて集計対象として来店会員数や投資金額を選択すれば、来店会員数や投資金額についても減少又は増加した範囲を容易に把握することができる。尚、図８に例示した地図分析画面はモニタ８に画像出力されるだけでなく印刷されることも可能である。又、従業員の操作により、複数の地域を一の地域に纏めて表示したり一の地域を複数の地域に分割して表示したりすることも可能である。
【００４１】
又、図９に示す効果測定色分け設定画面にて効果測定タブ３７が選択されている状態で一覧ボタン４２がクリックされると、図１０に示すように、設定条件にしたがって効果測定色分けを行った集計結果を示す効果測定一覧画面を表示する。効果測定一覧画面も地図分析画面に重ねられて表示される。
【００４２】
効果測定一覧画面にて表示される対象項目は来店会員数、会員来店回数、投資金額、総会員数であり、各項目に対して効果測定期間の集計値、比較対照期間の集計値、増減値、増減率を表示する。表示順は効果測定色分け設定画面で選択している集計対象の増減値又は増減率の降順で表示する。図１０では、色分け単位が行政界であり、集計対象が来店会員数であり、条件範囲が人／回／千円であるので、来店会員数の増減値の降順（図１０では４→２→１）で一覧を表示する場合を例示しているが、色分け単位が地域メッシュであり、集計対象が来店会員数であり、条件範囲が％であれば、図１１に例示する表示となり、来店会員数の増減率の降順（図１１では１００．００→３３．３３→２７．２７→…）で一覧を表示する。又、色分け単位が地域メッシュであり、集計対象が会員来店回数であり、条件範囲が人／回／千円であれば、図１２に例示する表示となり、会員来店回数の増減値の降順（図１２では２６→１８→１４→…）で一覧を表示する。
【００４３】
又、一覧のレコードがクリックされると、対応するエリアに地図移動する。合計値は、色分け単位及び色分け範囲毎の集計結果の合計値である。効果測定一覧画面にてＣＳＶ出力ボタン５１がクリックされると、エリア一覧の情報（行政界名／メッシュ番号、来店会員数（効果測定期間、比較対照期間、増減値、増減率）、会員来店回数（効果測定期間、比較対照期間、増減値、増減率）、投資金額（効果測定期間、比較対照期間、増減値、増減率）、総会員数（効果測定期間、比較対照期間、増減値、増減率）をＣＳＶファイルに出力する。効果測定一覧画面にて閉じるボタン５２がクリックされると、本画面を終了する。
【００４４】
又、色分け単位が行政界（町丁目）であり、色分け範囲が都道府県であれば、図１３（ａ）に示すように、タブ数は１となり、タブ名称は町丁目となる。又、色分け単位が地域メッシュであり、色分け範囲が都道府県であれば、図１３（ｂ）に示すように、タブ数は１となり、タブ名称はメッシュとなる。又、色分け単位が行政界（町丁目）であり、色分け範囲が商圏であれば、図１３（ｃ）に示すように、タブ数は２となり、タブ名称は商圏と町丁目となる。商圏タブと行政界（町丁目）タブとを切り替えることで、それぞれの一覧を表示する。このように従業員は、来店会員数や会員来店回数や投資金額が減少又は増加した範囲の一覧を容易に把握することができる。尚、この場合も、効果測定一覧画面はモニタ８に画像出力されるだけでなく印刷されることも可能である。
【００４５】
（イ）会員リスト表示の操作手順
管理装置６は、従業員が所定操作を行うことで、図１４に示す地域別人口・会員数一覧画面を表示する。地域別人口・会員数一覧画面では対象エリアが設定可能である。
【００４６】
対象エリア＝対象エリアの都道府県が選択される。購入している都道府県名が選択される。地域メッシュ（１ｋｍメッシュ）又は行政界から対象エリアが選択される。この場合も、行政界は市区町村別、大字別、町丁目別の３種類が選択される。字地図オプション設定がオンの場合は行政界の種類に字別が追加される。行政界で字別が選択されている場合は国勢調査データを利用できない。尚、上記した効果測定色分け表示中に会員リスト表示は操作可能である。又、効果測定色分け表示中に地域別人口・会員数一覧画面を表示した場合は、対象エリアは効果測定色分けで指定した色分け単位が選択される（変更不可）。
【００４７】
地域別人口・会員数一覧画面にてスクロールボタン６１がクリックされると、マウスモードがスクロールモードに切り替えられる。初期表示時にはスクロールモードに設定されている。地域別人口・会員数一覧画面にてエリア選択ボタン６２がクリックされると、マウスモードがエリア選択モードに切り替えられる。地図上で対象のエリアがクリックされると、エリア一覧の該当エリアのチェックボックスのチェックが切り替えられる。地図上の会員プロット状況を参照しながら地図上の対象エリアをクリックする（区分した地域を地図上で選択する）ことで、会員リストに表示したいエリアの選択及び解除が可能である。対象エリアで選択した都道府県の範囲が選択可能である。
【００４８】
地域別人口・会員数一覧画面にて地図選択状態表示ボタン６３がクリックされると、地図選択状態表示がオンになる。地図選択状態表示がオンの場合、図１５（ａ）に示すように、地図上でエリアがクリックされて選択されると、その選択されたエリアが例えば赤色のハッチングにより強調表示され、エリア一覧のチェックがオンになる。又、図１５（ｂ）に示すように、例えば赤色のハッチングにより強調表示されているエリアがクリックされて選択されると、その選択されたエリアの強調表示が解除され、エリア一覧のチェックがオフになる。尚、図１６に示すように、強調表示されるエリアの件数が多いと、その全てのエリアが強調表示されるまでに時間を要する場合がある。
【００４９】
地域別人口・会員数一覧画面にて選択ボタン６４や解除ボタン６５がクリックされると、商圏編集機能で登録した商圏が選択又は解除され、商圏内のエリアが一度に選択又は解除される。図１７に示すように、商圏プランが選択されて選択ボタン６４がクリックされると、選択中の商圏プランの名称が表示変更され（例えば黒色表示から赤色表示へと変更され）、その選択された商圏プランに対応するエリア一覧のチェックがオンになる。そして、商圏プランが選択されて解除ボタン６５がクリックされると、選択中の商圏プランの名称が表示変更され（例えば赤色表示から黒色表示へと変更され）、その解除された商圏プランに対応するエリア一覧のチェックがオフになる。尚、エリア一覧のチェックボックスのオンオフにより全選択／全解除を切り替え可能である。エリア一覧には対象エリアで選択した都道府県の行政界メッシュ又は行政界の一覧が表示される。正規会員、予備会員、退会会員が多い順に表示する。一番左の列のチェックボックスがオンとなっているレコードが選択状態である。項目パターンには会員リストに表示したい項目パターンが選択される。
【００５０】
地域別人口・会員数一覧画面にて会員リストボタン６６がクリックされると、図１８に示すように、地図分析画面が表示され、エリア一覧のチェックボックスがオンのエリアに所属する会員リストが表示される（選択された地域に含まれる住所における会員の情報の一覧が表示される）。この場合、会員の住所に対応した情報を含む遊技者情報が読み出されることで、図示していないが、会員番号及び漢字氏名と対応して住所が表示される。地域別人口・会員数一覧画面にてＣＳＶ出力ボタン６７がクリックされると、エリア一覧の情報（行政界名／メッシュ番号、正規会員数、予備会員数、退会会員数、人口、世帯、会員／人口比率）をＣＳＶファイルに出力する。地域別人口・会員数一覧画面にて閉じるボタン６８がクリックされると、本画面を終了する。
【００５１】
（２）円商圏表示機能
円商圏表示機能について図１９から図３０を参照して説明する。円商圏表示機能とは、自店の商圏及び他店の商圏（競合店の商圏）を、それぞれ店舗の所在地を中心とした円で表示し、自店の商圏と他店の商圏との重なりを表示したり、商圏表示から一覧を表示して当該一覧にて選択した商圏に含まれる会員の会員リストを表示したりする機能である。
【００５２】
管理装置６は、従業員が所定操作を行うことで、図１９に示す円商圏表示設定画面を表示する。円商圏表示設定画面には、円商圏表示の対象とする店舗に関する店舗情報を設定するための店舗情報設定欄６９、円商圏表示の距離（半径）を設定するための距離設定欄７０が設けられている。店舗情報設定欄６９では、店舗名とアイコンを一覧表示し、それぞれ円商圏表示の対象とするか否か、円の面を塗りつぶして表示するか否か、会員数を注記表示するか否かを選択可能である。図１９では、パーラー○○○及びパチンコ○○○のチェックボックスがオンされ、パーラー○○○については、円の色が青、円の面の塗りつぶしあり、会員数の注記表示ありが設定され、パチンコ○○○については、円の色が赤、円の面の塗りつぶしあり、会員数の注記表示なしが設定された状態を例示している。
【００５３】
又、店舗情報設定欄６９には「全てに設定」のチェックボックス７１が設けられており、「全てに設定」のチェックボックス７１がオンオフされることで、一覧表示している全ての店舗のチェックボックスのオンオフを纏めて設定可能であり、円商圏表示の対象とするか否かを纏めて設定可能である。又、店舗情報設定欄６９には地図から店舗選択ボタン７２が設けられており、地図から店舗選択ボタン７２がクリックされると、地図上に表示している店舗を選択して円商圏表示の対象として選択可能である。
【００５４】
距離設定欄７０では円商圏の距離として１〜５パターンを設定可能であり、キーボード７ａによる数値入力、又は増減ボタンによる数値の増減により設定可能であり、増減ボタンによる数値の増減分を十〜千の単位ボタン７３ａ〜７３ｃにより設定可能である。パターン毎のオンオフボタン７４ａ〜７４ｅをオンにすることで円商圏の表示対象とする。図１９では、円商圏の距離を、半径２００ｍ、４００ｍ、６００ｍ、８００ｍ、１０００ｍの５パターンで設定した状態を例示している。尚、初期値ボタン７３ｄがクリックされると、距離の値をシステム導入時の既定値に戻す。
【００５５】
又、円商圏表示設定画面には表示ボタン７５が設けられており、表示ボタン７５がクリックされると、図２０に示すように、設定条件にしたがって円商圏を示す地図分析画面を表示し、その地図分析画面の左上側に、図１９に示した円商圏表示設定画面を地図分析画面上に重ねて表示し、地図分析画面の左下側に、図２１に示す円商圏−会員数一覧画面を重ねて表示する。即ち、従業員は、地図分析画面、円商圏表示設定画面、円商圏−会員数一覧画面を同一の画面上で視認可能となっている。図２０の地図分析画面では、パーラー○○○の円商圏を半径２００ｍ毎に、即ち、半径２００ｍ、４００ｍ、６００ｍ、８００ｍ、１０００ｍの５区分にしたがって会員数の注記表示を含めて表示し、パチンコ○○○の円商圏を同じく半径２００ｍ毎に会員数の注記表示を含めずに表示した状態を例示している。図２０では、パーラー○○○の円商圏をＡ１〜Ａ５で示しており、Ａ１〜Ａ５はそれぞれ半径２００ｍ、４００ｍ、６００ｍ、８００ｍ、１０００ｍの円商圏に対応し、パチンコ○○○の円商圏をＢ１〜Ｂ５で示しており、Ｂ１〜Ｂ５はそれぞれ半径２００ｍ、４００ｍ、６００ｍ、８００ｍ、１０００ｍの円商圏に対応する。即ち、管理装置６は、円商圏を複数に（図２０の例示では２００ｍ毎に）区分した状態で地図上に表示する。
【００５６】
図２１に示すように、円商圏−会員数一覧画面には円商圏の一覧を表示する円商圏の一覧表示欄７６が設けられている。円商圏の一覧表示欄７６では、店舗名、半径、正規会員、予備会員、退会会員のそれぞれの会員数を表示する。正規会員とは会員登録を行った後に会員カードを一度でも使用した遊技者であり、予備会員とは会員登録を行ったが会員カードを一度も使用していない遊技者であり、退会会員とは会員登録を行ったが当該会員登録を解消した遊技者である。図２１では、パーラー○○○の円商圏について、半径２００ｍの円商圏において、正規会員が「４８人」であり、予備会員が「０人」であり、退会会員が「０人」であり、半径４００ｍの円商圏において、正規会員が「１３０人」であり、予備会員が「０人」であり、退会会員が「０人」である場合を例示しており、半径６００ｍ以降の円商圏についても同様である。図２１に示すように円商圏−会員数一覧画面における円商圏の一覧表示欄７６で全てのチェックボックスがオフされていると、正規会員、予備会員、退会会員の何れの合計も「０人」として表示し、何れかのチェックボックスがオンされて選択されると、その選択された正規会員、予備会員、退会会員の合計を表示する。
【００５７】
この正規会員、予備会員、退会会員の会員数については、図２０に示した地図分析画面でも対応して表示し、外側の円商圏では内側の円商圏を含んだ会員数を表示する。図２０に示す地図分析画面おいて、最も内側の円商圏である半径２００ｍの円商圏の内部には「正規：４８」、「予備：０」と表示し、その半径２００ｍの円商圏の外側の円商圏である半径４００ｍの円商圏の内部には「正規：１７８」、「予備：０」と表示する。即ち、半径４００ｍの円商圏の内部には、半径２００ｍの円商圏の正規会員の会員数である「４８人」と半径４００ｍの円商圏の会員数である「１３０人」との合計である「１７８人」を表示する。半径６００ｍ、８００ｍ、１０００ｍの円商圏でも同様である。尚、図２０では、地図分析画面において正規会員と予備会員の会員数を表示する場合を例示しているが、これに加えて退会会員の会員数を表示しても良い。又、地図分析画面では、円商圏で表示対象とする地図表示会員の全会員に対する割合を男女別に下端部に表示する。図２０では、正規会員について、男女全体が「８９８５人／１０７３５人」であり、男性が「７９０７人／９５４１人」であり、女性が「１０７８人／１１９４人」である場合を例示している。
【００５８】
図２１に戻ると、円商圏−会員数一覧画面には一覧ボタン７７が設けられており、一覧ボタン７７がクリックされると、前述した図１９に示した円商圏表示設定画面で選択した全ての円商圏を一覧表示する。尚、初期表示時は一覧ボタン７７が選択されている。
【００５９】
又、円商圏−会員数一覧画面には二円重なりボタン７８が設けられており、二円重なりボタン７８がクリックされると、円商圏の一覧表示欄７６に代わり、図２２に示すように、比較対象とする２つの円商圏の一覧を表示する。即ち、対象店舗１及び対象店舗２のうち一方を自店に設定し、他方を他店に設定することで、自店の円商圏と他店の円商圏との両方の一覧を表示する。図２２では、対象店舗１としてパーラー○○○の円商圏の一覧を表示し、対象店舗２としてパチンコ○○○の円商圏の一覧を表示している場合を例示している。尚、対象店舗１及び対象店舗２は異なる店舗である必要があり、同一の店舗を設定不可である。
【００６０】
図２１に戻ると、円商圏−会員数一覧画面には円商圏一覧チェックボックス７９が設けられており、円商圏一覧チェックボックス７９がオンされると、一覧の全てのチェックがオンになり、円商圏一覧チェックボックスがオフされると、一覧の全てのチェックがオフになる。
【００６１】
又、円商圏−会員数一覧画面において円商圏のチェックボックスがオンされると、そのチェックボックスがオンされた円商圏を選択し、その選択した円商圏を、選択しなかった円商圏と区別識別となるように識別表示する。即ち、地図分析画面の一部を示す図２３に示すように、パーラー○○○の半径８００ｍの円商圏のチェックボックスがオンされると、パーラー○○○の半径８００ｍの円商圏を選択し、その選択した円商圏を、選択しなかった円商圏と識別可能となるように識別表示する（図２３では識別表示する区域Ｍ１をハッチングにて示す）。この場合、選択した円商圏を、選択しなかった円商圏と識別可能であれば、色、濃淡等を変更する等のどのような識別表示としても良い。
【００６２】
図２１に戻ると、円商圏−会員数一覧画面にはスクロールボタン８０が設けられており、スクロールボタン８０がクリックされると、マウスモードを円商圏選択モードからスクロールモードに切り替える。スクロールモードとはマウス７ｂの操作により地図をスクロール可能なモードである。初期表示時はスクロールモードである。
【００６３】
又、円商圏−会員数一覧画面には円商圏選択ボタン８１が設けられており、円商圏選択ボタン８１がクリックされると、マウスモードをスクロールモードから円商圏選択モードに切り替える。円商圏選択モードでは、該当する円商圏とその内側の円商圏とを含む全体ではなく、該当する円商圏のみの選択及び解除が可能である。円商圏がクリックされると、そのクリックされた円商圏が未選択状態（解除状態）であれば、未選択状態から選択状態に切り替え、そのクリックされた円商圏が選択状態であれば、選択状態から解除に切り替える。クリックされた箇所が円商圏の重なっている箇所であれば、店舗コードが小さい又は半径が小さい円商圏が選択及び解除の対象となる。
【００６４】
又、円商圏−会員数一覧画面には項目パターン８２が選択可能に設けられており、会員リストに表示したい項目パターン８２が選択可能である。項目パターン８２とは住所、年齢、性別等の予め表示したい項目を従業員が項目パターンとして登録可能なものであり、その項目パターンにしたがって会員リストを表示する。
【００６５】
又、円商圏−会員数一覧画面には会員リストボタン８３が設けられており、会員リストボタン８３がクリックされると、一覧で選択した円商圏に含まれる地図上に表示された会員の会員リストを表示する。即ち、図２４に示すように円商圏−会員数一覧画面にてパーラー○○○の半径６００ｍの円商圏を選択しており、その選択した円商圏を、選択しなかった円商圏と識別可能に識別表示している（図２４では識別表示している区域Ｍ２をハッチングにて示す）状態から会員リストボタン８３がクリックされると、図２５に示すように、半径６００ｍの円商圏に含まれる地図上に表示された会員の会員リストを表示する。即ち、図２５に示す会員リストでは、パーラー○○○の半径６００ｍの円商圏の住所が登録されている「３０９人」分の正規会員の会員番号と漢字氏名とを一覧表示する。尚、図２５では、ＤＭ印字ボタン８５、印字ボタン８６、個人情報ボタン８７、ＣＳＶボタン８８が設けられており、対象とする会員が選択された上で、ＤＭ印字ボタン８５がクリックされると、その選択された会員へのＤＭを印字して作成する。又、対象とする会員が選択された上で、印字ボタン８６がクリックされると、その選択された会員を含む一覧を印字し、個人情報ボタン８７がクリックされると、その選択された会員の個人情報を表示し、ＣＳＶボタン８８がクリックされると、その選択された会員の個人情報をＣＳＶファイルに出力する。
【００６６】
図２１に戻ると、円商圏−会員数一覧画面には閉じるボタン８４が設けられており、閉じるボタン８４がクリックされると、円商圏−会員数一覧画面を終了する。
円商圏−会員数一覧画面にて二円重なりボタン７８がクリックされ、対象店舗が選択され、会員リストボタン８３がクリックされると、地図と同一画面上に、対象店舗１の円商圏及び対象店舗２の円商圏の一覧を表示し、二つの円商圏が重なった部分に存在する会員の会員リストを表示する。即ち、図２６に示す地図分析画面を表示している状態から図２７に示す円商圏−会員数一覧画面にて二円重なりボタン７８がクリックされ、図２８に示すように円商圏−会員数一覧画面にて対象店舗１としてパーラー○○○が設定され、半径６００ｍの円商圏が選択され、対象店舗２としてパチンコ○○○が設定され、半径８００ｍの円商圏が選択されると、地図分析画面の一部を示す図２９に示すように、パーラー○○○の半径６００ｍの円商圏とパチンコ○○○の半径８００ｍの円商圏とが重複する区域を識別表示する（図２９では識別表示している区域Ｍ３をハッチングにて示す）。このとき、重複する区域を、重複しない区域と識別可能であれば、色、濃淡等を変更する等のどのような識別表示としても良い。尚、図２６及び図２９では、パーラー○○○の円商圏をＣ１、Ｃ２で示しており、Ｃ１、Ｃ２はそれぞれ半径６００ｍ、８００ｍの円商圏に対応し、パチンコ○○○の円商圏をＤ１、Ｄ２で示しており、Ｄ１、Ｄ２はそれぞれ半径６００ｍ、８００ｍの円商圏に対応し、スロットＡＢＣの円商圏をＥ１、Ｅ２で示しており、Ｅ１、Ｅ２はそれぞれ半径６００ｍ、８００ｍの円商圏に対応する。
【００６７】
この状態から会員リストボタン８３がクリックされると、図３０に示すように、そのパーラー○○○の半径６００ｍの円商圏とパチンコ○○○の半径８００ｍの円商圏とが重複する区域に含まれる地図上に表示された会員の会員リストを表示する。即ち、図３０に示す会員リストでは、パーラー○○○の半径６００ｍの円商圏とパチンコ○○○の半径８００ｍの円商圏とが重複する区域の住所が登録されている「１５人」分の正規会員の会員番号と漢字氏名とを一覧表示する。これにより、従業員は、パーラー○○○の半径６００ｍの円商圏とパチンコ○○○の半径８００ｍの円商圏との両方に含まれる会員を特定することができ、何れの会員にＤＭを発送するか等の判断を行い易くすることができる。尚、図３０でも図２５と同様に、ＤＭ印字ボタン８５、印字ボタン８６、個人情報ボタン８７、ＣＳＶボタン８８が設けられているので、従業員は、ＤＭを発送すべきと判断すると、ＤＭ印字ボタン８５をクリックすることで、その会員へのＤＭを容易に印字して作成することができる。
【００６８】
即ち、自店であるパーラー○○○の半径６００ｍの円商圏に住所が登録されている「３５７人」の正規会員の全てにＤＭを発送すると、競合店であるパチンコ○○○から十分に離れた地域の正規会員、つまり、ＤＭを発送しなくとも自店への来店が十分に見込まれる正規会員へもＤＭを発送することになり、費用対効果の点で改善する余地がある。これに対し、本実施形態のように、上記した「３５７人」のうちパチンコ○○○の半径８００ｍの円商圏と重複する区域に住所が登録されている「１５人」を特定することで、競合店であるパチンコ○○○から余り離れていない地域の正規会員、つまり、ＤＭを発送しなければ自店への来店が見込まれない正規会員、換言すれば、ＤＭを発送することで自店への来店が見込まれる正規会員へＤＭを発送することができ、費用対効果を高めることができる。
【００６９】
このようにそれぞれ複数に区分された自店の円商圏及び他店の円商圏の中から任意の円商圏が１つずつ選択され、会員リストボタン８３がクリックされると、その選択された自店の円商圏及び他店の円商圏に重複する区域に含まれる会員のリストを表示する。尚、対象店舗の選択可能な円商圏を１つに制限しており、１つの対象店舗で同時に複数の円商圏を選択不能である。具体的には、一の商圏が選択されている状態で、同一店舗の他の商圏がマウス７ｂによりクリックされると、その選択されている一の商圏が選択状態から未選択状態に切り替わった上で、他の商圏が未選択状態から選択状態に切り替わることで、対象店舗の選択可能な円商圏を１つに制限している。この場合、対象店舗１及び対象店舗２の両方で選択可能な円商圏を１つに制限しても良いし、何れか一方のみで選択可能な円商圏を１つに制限しても良い。即ち、自店の商圏又は他店の商圏が複数選択されることを抑制しても良い。
【００７０】
以上に説明したように本実施形態によれば、次に示す効果を得ることができる。
従業員が商圏を選択するために操作すると、自店の商圏及び他店の商圏の両方に含まれる会員の一覧を表示するようにしたので、自店の商圏及び他店の商圏の両方に含まれる会員を特定することができ、何れの会員にＤＭを発送するか等の判断を行い易くすることができる。又、自店及び他店の少なくとも一方の商圏を複数に区分した状態で自店の商圏及び他店の商圏を地図上に表示するようにしたので、例えば自店から遠過ぎる会員を除外した上で一覧を表示する等、ＤＭを発送しても効果が少ないと思われる会員を除外して一覧を表示することができる。即ち、一覧表示の対象とする会員の選択を行い易くすることで結果的に会員管理を行い易くすることができる。
【００７１】
又、自店の商圏又は他店の商圏が複数選択されることを抑制するようにしたので、会員リストを表示した状態で従業員が何れの商圏の会員であるかを特定し難くなる虞を抑制することができる。即ち、一の店舗に対して一の円商圏のみを選択して表示することで、会員管理に慣れていない従業員であっても表示内容を理解し易くすることができる。
又、地図と同一画面上に、自店の商圏及び他店の商圏の一覧を表示するようにしたので、地図と同一画面上で自店の商圏及び他店の商圏を選択することができ、商圏の選択を行い易くすることができる。
又、複数の商圏のそれぞれに含まれる会員数を特定可能に自店の商圏及び他店の商圏の一覧を表示するようにしたので、会員数が多いか少ないかに基づいて商圏を選択することができ、商圏の選択を行い易くする効果をより高めることができる。
【００７２】
又、来店会員数や会員来店回数や投資金額の各項目についての効果測定期間及び比較対照期間のそれぞれの集計値、増減値、増減率を地域別に表示し、従業員により選択される地域に含まれる住所の遊技者の情報の一覧を表示するようにしたので、地域別の来店会員数、会員来店回数、投資金額を確認しながら何れの地域の遊技者の情報の一覧を表示するかを選択することができ、従業員が望む地域の遊技者の情報を表示し易くすることができる。これにより、遊技者の会員管理を行い易くすることができ、ＤＭを発送する地域や広告を行う地域を選定し易くすることができる。
【００７３】
又、地図上で区分している地域に重ねて当該地域の集計結果を表示するようにしたので、遊技者の情報を表示する地域を選定し易くすることができる。又、区分する地域の設定を従業員が行うようにしたので、従業員が纏めて管理したいと考える地域を一つに纏めて管理することができ、従業員が管理し易い区分を実現することができる。
【００７４】
来店会員数、会員来店回数、投資金額を集計するようにしたので、来店頻度が少ない遊技者に対しては来店の意欲を引き起こすようなＤＭを発送したり、投資金額が少ない遊技者に対しては少ない投資金額でも遊技に満足し得る遊技機を導入したことを案内するようなＤＭを発送したりすることができ、会員の傾向に適したＤＭを発送することができる。即ち、来店会員数、会員来店回数、投資金額を多面的に分析することで、会員の特性に適したＤＭを発送することができる。
【００７５】
本発明は、上記した実施形態にのみ限定されるものではなく、以下のように変形又は拡張することができる。又、以下に示す変形例をどのように組み合わせても良い。
本実施形態では、店舗として遊技店を例示し、遊技店に対して会員登録を行った会員の管理を行うシステムを例示したが、商品の販売やサービスの提供を行うものであれば本願発明における店舗に含まれる。店舗として例えばデパート、保険の代理店、レンタルショップ、映画館等を例示することができ、デパート、保険の代理店、レンタルショップ、映画館等に対して会員登録を行った会員の管理を行うシステムに適用することも可能である。
【００７６】
本実施形態では、遊技機１としてメダルを使用するスロットマシンを例示したが、メダルを使用することなく得点を消費する完全クレジットスロットマシンに対応することも可能である。勿論、封入式のパチンコ機に対応することも可能である。
本実施形態では、地図上で区分している地域に重ねて当該地域の集計結果を表示する構成を例示したが、例えば地図上で区分している地域に集計結果を表示したり別のウインドウとして集計結果を表示したりしても良い。
【００７７】
本実施形態では、地図上でデータに基づいて色分け表示する構成を例示したが、色分に使用するデータを変更しても良い。例えば効果測定の色分けに加えて又は代えて人口や人口密度に対応したデータで色分けを行う構成や、人口の分布に対応した数字を地図上に表示する構成や、会員数の分布や、人口に対する会員数の割合に応じて色分けする構成等が考えられる。人口に対する会員の割合に応じて色分けすれば、人口に対して会員が少ないエリアを把握することができ、地図上で当該エリアを選択し、広告の配布等を決定することができる。本構成においては、種々の条件により絞込みした会員を地図展開することにより、年齢による絞込み、好みの機種による絞込み結果から地図展開することができ、広告の配布等の戦略を立てることができる。このように色分けの方法は、指定した期間の比較結果に基づくものに限定されない。尚、人口の分布に対応したデータは、行政機関等の第３者機関が提供するデータを使用することも可能である。又、人口の分布に対応したデータとしては、人口密度、男性人口や女性人口等のいずれのデータを使用しても良い。
【００７８】
本実施形態では、会員登録を遊技店で行う構成としたが、インターネット上で登録を行う構成やチェーン店内で登録した情報を流用する等、どのような方法で会員登録を行う構成でも良い。どのような方法で会員登録を行った場合でも遊技店で会員登録を行ったことに該当する。
本実施形態では、来店会員数、会員来店回数、投資金額を表示する構成を例示したが、これらの情報のうち何れかの情報のみを表示可能な構成としても良いし、その他の遊技履歴に対応した情報に基づいて色分けを行う構成としても良い。
【００７９】
本実施形態では、ＤＭを発送する会員を決定する構成について例示したが、会員の情報に応じてＤＭを発送したり広告を行ったりするエリアを決定する方法を採用することも可能である。
本実施形態では、ＤＭを発送可能とするように会員の住所を記憶する構成を例示したが、必ずしもＤＭを発送可能とするように会員の住所を記憶している必要はなく、市区町村名は記憶しているが何丁目までは記憶していなくても良い。この場合でも、会員の分布等を管理することできる。
【００８０】
本実施形態では、自店の商圏及び他店の商圏を半径で区分する構成を例示したが、例えば市町村等の住所や、車で何分までの距離、徒歩何分の距離等で商圏を区切る構成としても良い。
本実施形態では、二円重なりのウインドウを地図画面に重ねる構成を例示したが、二円重なりのウインドウを地図画面とは別画面で表示する構成としても良い。即ち、地図画面と二円重なりの画面とは同一画面上で表示する必要はない。
【００８１】
本実施形態では、自店の商圏及び他店の商圏をそれぞれ複数表示する構成を例示したが、自店及び他店の何れか一方の商圏を複数に区分しない構成としても良い。
本実施形態では、自店の商圏及び他店の商圏をそれぞれ一つずつ選択する構成を例示したが、例えば自店の商圏及び他店の商圏のうち少なくとも一方の複数選択な構成としても良い。
【００８２】
本実施形態では、他店として競合店の商圏を表示する構成を例示したが、表示する他店は競合店に限られるものではなく、例えば同一チェーン内における店舗の比較を行う場合に本発明を適用することも可能である。
【符号の説明】
【００８３】
図面中、１は遊技機、６ａは会員情報記憶部（会員情報記憶手段）、６ｂは地図情報記憶部（地図情報記憶手段）、６ｃは商圏情報記憶部（商圏情報記憶手段）、６ｅは選択抑制部（選択抑制手段）、６ｆは特別表示部（特別表示手段）、６ｇは会員情報表示部（会員情報表示手段）、６ｈは商圏表示部（商圏表示手段）、７ａはキーボード（操作手段）、７ｂはマウス（操作手段）、８はモニタ（特別表示手段、会員情報表示手段、商圏表示手段）である。
【図１】
2018060270.tif 000003
【図２】
2018060270.tif 000004
【図３】
2018060270.tif 000005
【図４】
2018060270.tif 000006
【図５】
2018060270.tif 000007
【図６】
2018060270.tif 000008
【図７】
2018060270.tif 000009
【図８】
2018060270.tif 000010
【図９】
2018060270.tif 000011
【図１０】
2018060270.tif 000012
【図１１】
2018060270.tif 000013
【図１２】
2018060270.tif 000014
【図１３】
2018060270.tif 000015
【図１４】
2018060270.tif 000016
【図１５】
2018060270.tif 000017
【図１６】
2018060270.tif 000018
【図１７】
2018060270.tif 000019
【図１８】
2018060270.tif 000020
【図１９】
2018060270.tif 000021
【図２０】
2018060270.tif 000022
【図２１】
2018060270.tif 000023
【図２２】
2018060270.tif 000024
【図２３】
2018060270.tif 000025
【図２４】
2018060270.tif 000026
【図２５】
2018060270.tif 000027
【図２６】
2018060270.tif 000028
【図２７】
2018060270.tif 000029
【図２８】
2018060270.tif 000030
【図２９】
2018060270.tif 000031
【図３０】
2018060270.tif 000032